(57)【特許請求の範囲】
【請求項１】
情報オブジェクト（１４）に分配されるテキストベースの情報コンテンツを持つテキスト情報信号のための受信機であって、
トランスポートユニットのシーケンスを得るようにトランスポート信号（９２）を受信するためのトランスポート層ユニット（１１０）、
トランスポートユニットのシーケンスの形で情報オブジェクト（１４）に分配されるテキストベースの情報コンテンツを持つテキスト情報信号を受信するためのアプリケーション層ユニット（１１２）を含み、
前記アプリケーション層ユニットは、
各トランスポートユニットを検査して、そこからフラグメントヘッダ（８４ａ）および対応するフラグメント部（１４ａ）を抽出し、関連するフラグメントヘッダを有するフラグメント部のシーケンスを得るための抽出器（１１４）；
情報オブジェクト（１４）を得るためにフラグメントヘッダ（８４ａ）を用いてフラグメント部（１４ａ）のシーケンスを非断片化し、少なくとも情報オブジェクト（１４）の一部のために、フラグメント部のシーケンスの中のフラグメント部（１４ａ）のサブシーケンスからそれぞれの情報オブジェクト（１４）を構成するためのデフラグメント装置（１１６）；および
オブジェクトヘッダ（１６）およびオブジェクトコンテンツ部（１８）を得るために情報オブジェクトを解析して、オブジェクトヘッダ（１６）に従って情報オブジェクトを処理するための情報オブジェクトハンドラ（１１８）を含み、
フラグメント部（１４ａ）のシーケンスに関連するフラグメントヘッダ（８４ａ）は、
関連するフラグメント部が情報オブジェクトが断片化されたフラグメント部のサブシーケンスの最初のフラグメント部であるかどうかに関してフラグメントヘッダが示し；
関連するフラグメント部が情報オブジェクトが断片化されたフラグメント部のサブシーケンスの最後のフラグメント部であるかどうかに関してフラグメントヘッダが示し；
情報オブジェクトが断片化されたフラグメント部のサブシーケンスのフラグメントヘッダは、フラグメント部のサブシーケンスの最初から最後のフラグメント部まで連続的に変化する連続インデックスを有するように構成され、
デフラグメント装置は、
ａ）現在のフラグメント部がフラグメント部のサブシーケンスの最初のフラグメント部であるかどうかに関して現在のフラグメント部が関連するフラグメントヘッダをチェックし；
ｂ）現在のフラグメント部がフラグメント部のサブシーケンスの最初のフラグメント部である場合、現在のフラグメント部のフラグメントヘッダおよび直ちに現在のフラグメント部に続くフラグメント部の連続に関連するフラグメントヘッダおよび
フラグメントヘッダのフラグメント部がフラグメント部のサブシーケンスの最初のフラグメント部であることを示すそれと関連するフラグメントヘッダを有するフラグメント部に直ちに先行するフラグメント部における、または、
フラグメントヘッダのフラグメント部がフラグメント部のサブシーケンスの最後のフラグメント部であることを示すフラグメントヘッダを有するフラグメント部における終わりをチェックして、
現在のフラグメント部およびフラグメント部の続きのフラグメントヘッダの連続インデックスにおいて不連続があるかどうかに関して、フラグメント部のシーケンスにおいて最初に何が起ころうと、
ｃ）これらのフラグメントヘッダの連続インデックスに不連続がある場合、または、そのフラグメント部がフラグメント部のサブシーケンスの最後のフラグメント部であることを示さないそれと関連するフラグメントヘッダを有するフラグメント部で連続が終わる場合、フラグメント部の連続で現在のフラグメント部を破棄し、現在のフラグメント部としてフラグメント部の連続に直ちに続くフラグメント部を用いてステップａ）で非断片化を再開し；
ｄ）そうでない場合、情報オブジェクトを現在のフラグメント部およびフラグメント部の連続から構成することにより、
非断片化を実行するように構成され、
トランスポート信号（９２）は１つ以上のトラスポートパケットにパケット化された形で分配されて含まれる各トランスポートユニットを含み、各トランスポートパケットはトランスポートパケットヘッダおよびトランスポートパケットデータ部を含み、トランスポート層ユニット（１１０）は、各トランスポートパケットについて、トランスポート部の長さまたはトランスポートパケット部の範囲内のペイロード部のペイロード抽出情報を得るために、およびフラグメントヘッダおよびフラグメント部の少なくとも１つに関するアプリケーションレベルユニット（１１２）に対するトランスポートパケットの単なるビットであるペイロード抽出情報の使用により抽出し送るために、トランスポートパケットヘッダを検査するように構成された、受信機。
【請求項２】
フラグメント部（１４ａ）のシーケンスに関連するフラグメントヘッダ（８４ａ）は、連続インデックスが、フラグメント部のサブシーケンスの最初のフラグメント部におけるゼロから始まるフラグメント部のサブシーケンスの最初から最後のフラグメント部を連続的に変化させるように構成された、請求項１に記載の受信機。
【請求項３】
受信機は、データカルーセルなテキストベースの情報放送受信機である、請求項１または請求項２に記載の受信機。
【請求項４】
情報オブジェクトに分配されるテキストベースの情報コンテンツを持つテキストベースの情報信号のための送信機であって、
トランスポート信号（９２）の範囲内でトランスポートユニットのシーケンスの形で情報オブジェクトに分配されるテキストベースの情報コンテンツを持つテキストベースの情報信号を送信するためのアプリケーション層ユニット（７２）、
情報オブジェクト（１４）をフラグメント部（１４ａ）のシーケンスに断片化し、少なくとも情報オブジェクト（１４）の一部のために、それぞれの情報オブジェクトをフラグメント部のシーケンスの中のフラグメント部（１４ａ）のサブシーケンスに断片化するフラグメント装置（７６）；および
情報オブジェクト（１４）を得るためにフラグメント部（１４ａ）の非断片化を可能にするフラグメントヘッダ（８４ａ）を各フラグメント部（１４ａ）に提供し、各フラグメント部（１４ａ）、およびそれぞれのフラグメント部（１４ａ）が関連するフラグメントヘッダ（８４ａ）がトランスポートユニットを形成するヘッダ付加器（７８）を含み、
ヘッダ付加器（７８）は、フラグメント部（１４ａ）のシーケンスに関連するフラグメントヘッダ（８４ａ）が、
関連するフラグメント部が情報オブジェクトが断片化されたフラグメント部のサブシーケンスの最初のフラグメント部であるかどうかに関してフラグメントヘッダが示し；
関連するフラグメント部が情報オブジェクトが断片化されたフラグメント部のサブシーケンスの最後のフラグメント部であるかどうかに関してフラグメントヘッダが示し；
情報オブジェクトが断片化されたフラグメント部のサブシーケンスのフラグメントヘッダがフラグメント部のサブシーケンスの最初から最後のフラグメント部まで連続的に変化する連続インデックスを有するように構成され、
送信するためのトランスポート層ユニット（７４）は、トランスポートユニット的に、トランスポート信号（９２）の範囲内のトランスポートユニットのシーケンスを送信し、トランスポート層において、トランスポート信号（９２）がトランスポートパケットの１つ以上に分配されるパケット化された形で含まれる各トランスポートユニットを含み、各トランスポートパケットはトランスポートパケットヘッダおよびトランスポートパケットデータ部を含み、トランスポートパケットヘッダは、トランスポートコンテンツ部の長さまたはフラグメントヘッダおよびフラグメント部の少なくとも１つに関連するトランスポートパケットのビットを示すトランスポートパケット部の範囲内のペイロード部分のペイロード抽出情報を含むようにトランスポート信号（９２）の範囲内のトランスポートユニットのシーケンスが送信される、送信機。
【請求項５】
トランスポートユニットのシーケンスの形で情報オブジェクト（１４）に分配されるテキストベースの情報コンテンツを持つテキスト情報信号を受信するための方法であって：
トランスポート層においてトランスポートユニットのシーケンスを得るためにトランスポート信号（９２）を受信するステップ：
アプリケーション層において、
各トランスポートユニットを検査し、それからフラグメントヘッダ（８４ａ）および対応するフラグメント部（１４ａ）を抽出して、関連するフラグメントヘッダを有するフラグメント部のシーケンスを得るステップ；
情報オブジェクト（１４）を得るためにフラグメントヘッダ（８４ａ）を用いてフラグメント部（１４ａ）のシーケンスを非断片化し、少なくとも情報オブジェクト（１４）の一部のために、フラグメント部のシーケンスの中のフラグメント部（１４ａ）のサブシーケンスからそれぞれの情報オブジェクト（１４）を構成するステップ；および
オブジェクトヘッダ（１６）およびオブジェクトコンテンツ部（１８）を得るために情報オブジェクトを解析して、オブジェクトヘッダ（１６）に従って情報オブジェクトを処理するステップを含み、
トランスポート信号（９２）は１つ以上のトラスポートパケットにパケット化された形で分配されて含まれる各トランスポートユニットを含み、各トランスポートパケットはトランスポートヘッダおよびトランスポートデータ部を含み、トランスポート層において、各トランスポートパケットのために、トランスポートパケットヘッダが、トランスポートコンテンツ部の長さまたはトランスポートパケット部の範囲内のペイロード部のペイロード抽出情報を得るために検査され、ペイロード抽出情報を用いることによって、トランスポートパケットの単なるビットが抽出され、フラグメントヘッダおよびフラグメント部の少なくとも１つに関するアプリケーションレベルに送信され、
フラグメント部（１４ａ）のシーケンスに関連するフラグメントヘッダ（８４ａ）は、
関連するフラグメント部が情報オブジェクトが断片化されたフラグメント部のサブシーケンスの最初のフラグメント部であるかどうかに関してフラグメントヘッダが示し；
関連するフラグメント部が情報オブジェクトが断片化されたフラグメント部のサブシーケンスの最後のフラグメント部であるかどうかに関してフラグメントヘッダが示し；
情報オブジェクトが断片化されたフラグメント部のサブシーケンスのフラグメントヘッダは、フラグメント部のサブシーケンスの最初から最後のフラグメント部まで連続的に変化する連続インデックスを有するように構成され、
非断片化は、
ａ）現在のフラグメント部がフラグメント部のサブシーケンスの最初のフラグメント部であるかどうかに関して現在のフラグメント部が関連するフラグメントヘッダをチェックし；
ｂ）現在のフラグメント部がフラグメント部のサブシーケンスの最初のフラグメント部である場合、現在のフラグメント部のフラグメントヘッダおよび直ちに現在のフラグメント部に続くフラグメント部の連続に関連するフラグメントヘッダおよび、
フラグメントヘッダのフラグメント部がフラグメント部のサブシーケンスの最初のフラグメント部であることを示すそれと関連するフラグメントヘッダを有するフラグメント部に直ちに先行するフラグメント部における、または、
フラグメントヘッダのフラグメント部がフラグメント部のサブシーケンスの最後のフラグメント部であることを示すフラグメントヘッダを有するフラグメント部における終わりをチェックして、
現在のフラグメント部およびフラグメント部の続きのフラグメントヘッダの連続インデックスにおいて不連続があるかどうかに関して、フラグメント部のシーケンスにおいて最初に何が起ころうと、
ｃ）これらのフラグメントヘッダの連続インデックスに不連続がある場合、または、そのフラグメント部がフラグメント部のサブシーケンスの最後のフラグメント部であることを示さないそれと関連するフラグメントヘッダを有するフラグメント部で連続が終わる場合、フラグメント部の連続で現在のフラグメント部を破棄し、現在のフラグメント部としてフラグメント部の連続に直ちに続くフラグメント部を用いてステップａ）で非断片化を再開し；
ｄ）そうでない場合、情報オブジェクトを現在のフラグメント部およびフラグメント部の連続から構成することにより、
実行される、方法。
【請求項６】
トランスポート信号（９２）の範囲内で、トランスポートユニットのシーケンスの形で情報オブジェクトに分配されるテキストベースの情報コンテンツを持つテキストベースの情報信号を送信するための方法であって：
アプリケーション層において、
情報オブジェクト（１４）をフラグメント部（１４ａ）のシーケンスに断片化し、少なくとも情報オブジェクト（１４）の一部のために、それぞれの情報オブジェクトをフラグメント部のシーケンスの中のフラグメント部（１４ａ）のサブシーケンスに断片化するステップ；および
情報オブジェクト（１４）を得るために、各フラグメント部（１４ａ）にフラグメント部（１４ａ）の非断片化を可能にするフラグメントヘッダ（８４ａ）を提供し、各フラグメント部（１４ａ）およびそれぞれのフラグメント部（１４ａ）が関連するフラグメントヘッダ（８４ａ）がトランスポートユニットを形成するステップを含み、
トランスポート層において、トランスポートユニット的に、トランスポート信号（９２）の範囲内のトランスポートユニットのシーケンスを送信し、
トランスポート層において、トランスポート信号（９２）がトランスポートパケットの１つ以上に分配されるパケット化された形で含まれる各トランスポートユニットを含み、各トランスポートパケットはトランスポートパケットヘッダおよびトランスポートパケットデータ部を含み、トランスポートパケットヘッダは、トランスポートコンテンツ部の長さまたはフラグメントヘッダおよびフラグメント部の少なくとも１つに関連するトランスポートパケットのビットを示すトランスポートパケット部の範囲内のペイロード部分のペイロード抽出情報を含むようにトランスポート信号（９２）の範囲内のトランスポートユニットのシーケンスが送信され、
各フラグメント部（１４ａ）へのフラグメントヘッダ（８４ａ）の供給は、フラグメント部（１４ａ）のシーケンスに関連するフラグメントヘッダ（８４ａ）が、
関連するフラグメント部が情報オブジェクトが断片化されたフラグメント部のサブシーケンスの最初のフラグメント部であるかどうかに関してフラグメントヘッダが示し；
関連するフラグメント部が情報オブジェクトが断片化されたフラグメント部のサブシーケンスの最後のフラグメント部であるかどうかに関してフラグメントヘッダが示し；
情報オブジェクトが断片化されたフラグメント部のサブシーケンスのフラグメントヘッダがフラグメント部のサブシーケンスの最初から最後のフラグメント部まで連続的に変化する連続インデックスを有するように構成される、
ように実行される、方法。
【請求項７】
コンピュータ上で実行されるときに、請求項５または請求項６に記載の方法を実行するための命令を有する、コンピュータプログラム。
【発明の詳細な説明】
【技術分野】
【０００１】
本願は、テキストベースの情報のための伝送方式に関し、例えば、ＸＭＬベースの目立たない情報提供Ｊｏｕｒｎａｌｉｎｅ（登録商標）のようなデータカルーセルなテキストベースの情報放送のための伝送方式に関する。
【背景技術】
【０００２】
情報オブジェクトに分配されるテキストベースの情報コンテンツを持つテキストベースの情報信号は、例えば、データカルーセルなテキストベースの情報放送システム、文字情報コンテンツが要求に応じて送信されるデータ伝送、または、要求により送信を要求されまたは要求されない特定の受信者を対象にしたアドレスベースのデータ送信において用いられる。
【０００３】
データカルーセルなテキストベースの情報放送は、例えば、技術的なコストを適度に低く抑えたままで、テキストベースの情報を大量のユーザーに配布することを可能にする。例えば、受信者から放送送信者へのアップリンクまたはフィードバック信号は必要ではない。ユーザーが個人的な好みにより放送信号によって与えられる情報コンテンツを個々に検索することができるように、全ての情報は他のオブジェクトを参照するオブジェクトに分けられ、それによって、結果として得られるオブジェクトのリンクされた配列を対話形式で検索することを可能にする。例えば、メニューオブジェクトは、あるオブジェクトから他のオブジェクトに進むように、ユーザーがメニュー項目の中から選択することができるようにする。
【０００４】
テキストベースの情報信号の伝送を考慮するとき、一方ではトランスポート層および他方ではアプリケーション層を区別するように気を付けなければならない。すなわち、テキストベースの情報提供は、テキストベースの情報コンテンツが分配されるテキスト情報オブジェクトを提供する。明らかに、これらの情報オブジェクトは、異なる長さを有することができる。これらの情報オブジェクトは、サービス受信者に発信されなければならない。これは、トランスポート層システム、すなわちサービス送信者およびサービス受取人／受信者を接続するシステムの責任に該当する。トランスポート層は、送信または移送されるデータがアプリケーション層からトランスポート層に伝える方法、およびどのようにしてデータが受信者側でトランスポート層からアプリケーション層に伝えられるかを定める。例えば、トランスポート層は、パケットの形で送信されるデータを受信するように求めることができる。あるいは、トランスポート層は、データのストリームが送信側でトランスポート層に伝えられることを可能にするようにできる。情報オブジェクトのためのテキストベースの情報伝送の場合、サービス受取人は、情報オブジェクトを単位にしてアプリケーション層データを受信するように求める。これは、次に、トランスポート層がテキストベースの情報提供によって許容される情報オブジェクトの最大サイズに対処することが可能でなければならないことを意味する。すなわち、最大サイズの情報オブジェクトがトランスポート層のトランスポートパケットのコンテンツ部分に適合するように、トランスポート層は定められなければならない、または、トランスポート層はトランスポートパケットのコンテンツ部分の最大サイズより大きいサイズを有する入ってくる情報オブジェクトを扱うことが可能であり、受信者の側で、これらの情報オブジェクトのサブ部分を再結合することができなければならず、それにより、断片化されたトランスポートがサービス受取人にとって透過的となる。
【発明の概要】
【発明が解決しようとする課題】
【０００５】
しかしながら、これは、情報提供およびそれぞれのサービス受信者が上述の要求に適合するトランスポート層システムに関連して単に適用可能であるだけであることを意味する。しかしながら、これは、それぞれのサービスの適用可能性を制限する。
【０００６】
このように、この方式がより多くのトランスポート層システムと調和するようなテキストベースの情報伝送方式を提供することが本発明の目的である。
【課題を解決するための手段】
【０００７】
この目的は、請求項１に記載の受信機、請求項３に記載の送信機、請求項７に記載のトランスポート信号、請求項５または請求項６に記載のアプリケーション層ユニット、請求項８または請求項９に記載の方法および請求項１０に記載のコンピュータプログラムによって達成される。
【０００８】
本発明は、情報オブジェクトの断片化および非断片化がトランスポート層領域でよりむしろアプリケーション層側で実行されるときに、テキストベースの情報伝送がより多くのトランスポート層システムに対応するという発見に基づく。この方法によって、テキストベースの情報提供は、情報オブジェクトの最大サイズに対応しているトランスポート層システムに制限されない。むしろ、情報オブジェクトが断片化されたフラグメントの断片化サイズを、アプリケーション層内でトランスポート層によって提供される最大のトランスポートパケットコンテンツ部のサイズに適合させることが可能である。フラグメントサイズは、例えば、時間的に変化する伝送チャネル特性の結果としてトランスポート層上にもたらされるトランスポート層からの指示に応答して時間的に変化するように変化してもよい。
本発明の好ましい実施例は、図面を参照して更に詳細に以下に記載される。
【図面の簡単な説明】
【０００９】
【図１ａ】図１ａは、説明のためのアプリケーション層システムを示す図解図である。
【図１ｂ】図１ｂは、説明のための情報オブジェクトのツリー構造を示す図解図である。
【図２】図２は、実施例にかかるテキストベースの情報信号のためのブロック図である。
【図３】図３は、実施例にかかるテキストベースの情報信号のための受信機のブロック図である。
【図４】図４（Ａ）および図４（Ｂ）は、フラグメント部および関連するフラグメントヘッダを移送する例となる方法を示す図解図である。
【発明を実施するための形態】
【００１０】
図１ａは、本発明が利用される実施例としてのアプリケーション層システムを示す図である。図１ａのアプリケーション層システムは、テキストベースの情報コンテンツを有するテキストベースの情報信号が送信側１０から受信側１２に供給されるテキストベースの情報提供システムである。テキストベースの情報コンテンツは、例えば、ニュース、広告または他の文字情報を含む。テキストベースの情報コンテンツは、複数の情報オブジェクト１４に分配される。図１ａに示すように、各オブジェクトは、例えば、オブジェクトヘッダ１５およびオブジェクトコンテンツ部１８を含む。さらに、各オブジェクト１４は、複数の異なるオブジェクトＩＤの中の固有のオブジェクトＩＤと関連付けられている。図１ａに示すように、このオブジェクトＩＤは、引用符号２０で示すように、オブジェクトヘッダの中に含まれる。それぞれのオブジェクト１４のテキストベースのコンテンツは、２２に示すようにオブジェクトコンテンツ部１８に含まれているものの一部である。オブジェクト１４のいくつかは、他のオブジェクトと関連があってもよい。この種の関連項目は、オブジェクトコンテンツ部１８の中に含まれるものとして、図１ａに引用符号２４で示される。リンク項目２４は、ポインタ２６が属するオブジェクトのオブジェクトＩＤ２０と異なるオブジェクトＩＤを示しまたは参照するポインタ２６およびラベル２８を含む。両方のテキスト部分２２およびラベル２８は、受信側１２でユーザーに示されるために割り当てられる。さらに以下で詳細に述べられるように、受信側１２のユーザーはラベル２８によって表されるリンク項目２４を起動させる機会を与えられ、それによって、現在のオブジェクトＩＤ２０を有する現在のオブジェクトから起動されたリンク項目２４のポインタ２６が照会するオブジェクトまでナビゲートする。その後の態様は、図１ｂを参照して以下で更に詳細に記載されている。
【００１１】
もちろん、更なる構文要素は、オブジェクトヘッダ１６および／またはオブジェクトコンテンツ部１８および／またはオブジェクト自体によって成り立つことができる。たとえば、オブジェクトヘッダ１６は、オブジェクトコンテンツ部１８のタイプまたは構造を規定する構文要素３０を含む。たとえば、マニュアルオブジェクト、純粋なテキストオブジェクト、リストオブジェクトその他は、区別されることができる。
【００１２】
図１ａに示すように、送信側１０は、オブジェクト１４を受信側に提供するように構成されているプロバイダ３２を含む。プロバイダ３２は、オブジェクト１４をデータカルーセル方式で受信側１２に提供するように構成されることができる。すなわち、プロバイダ３２はオブジェクトＩＤを繰り返すように構成されることができ、特定のオブジェクトＩＤがアクセスされる繰返し率が個々のオブジェクトＩＤ間で異なっていてもよい。あるいは、プロバイダ３２は、オブジェクト１４を要求に応じて受信側１２に提供するように構成されることができ、すなわち受信側１２からの要求に応じて決定されたオブジェクトＩＤで特定のオブジェクトを受信側１２に提供するように構成することができる。
【００１３】
受信側１２で、プロセッサ３４は、プロバイダ３２によって与えられる情報オブジェクト１４を受信して、それらを解析し、以下において更に詳細に記載されるオブジェクトヘッダ１６内の仕様にしたがってそれらを処理するように構成される。いくつかのデバイスは、プロセッサ３４に接続される。これらのデバイスは、表示装置３６、入力装置３８およびメモリ４０を含む。特に、プロセッサ３４は、表示装置３６を介してユーザーに現在選択されたオブジェクトＩＤ２０を有するオブジェクトのオブジェクトコンテンツ部１８内のテキストコンテンツを表示するように構成される。表示装置３６は、例えば、グラフィックディスプレイまたはテキストディスプレイなどのディスプレイを含む。しかしながら、表示装置３６がオブジェクトのテキストコンテンツをユーザーに提示する際にテキスト−音声変換を行うプロセッサ３４を有するラウドスピーカを含むことは可能である。表示する場合、プロセッサ３４はリンク項目２４のラベル２８をユーザーに提示する。ユーザーは、次に、入力装置３８によって、表示装置３６を介して示されるこの種のリンク項目２４を起動させるかまたは選択する機会を与えられる。たとえば、入力装置３８は、４−トグルスイッチのようなトグルスイッチまたは回転ノブを含み、またはタッチスクリーン機能またはそれらの組み合わせを含むことができる。音声制御を可能にする音声認識入力機能さえ、実現可能である。特に、現在選択および提示されたオブジェクトに存在する１つ以上のリンク項目２４の場合、プロセッサ３４は、入力装置３８を介して、ユーザーが現在選択可能なリンク項目を変更し、および現在選択可能なリンク項目を起動することができるこれらのリンク項目の中で、実際に選択可能なリンク項目を目立たせるように構成されることができる。リンク項目の選択に対応して、プロセッサ３４は、選択されたリンク項目２４のポインタ２６によって参照されるオブジェクトＩＤを新しく選択されたオブジェクトＩＤとして指定し、そのオブジェクトＩＤを含むオブジェクトを得て、そのテキストコンテンツを表示装置３６を介してユーザーに提示する。データカルーセルの場合、プロセッサ３４は、プロバイダ３２によって与えられるデータカルーセルテキストベースの情報信号から、またはメモリ４０内のオブジェクトキャッシュに格納されたそれの予め格納されたバージョンから新しく選択されたオブジェクトＩＤを有するオブジェクトを得ることができる。あるいは、プロセッサ３４は、プロバイダ３２からそれを要求することによって、新しく選択されたオブジェクトＩＤを有する情報オブジェクト１４を得ることができる。
【００１４】
上述のテキストベースの情報提供システムにおいて、ユーザーは、そのサービスのテキストベースの情報コンテンツを検索する機会を与えられる。これを説明するために、図１ｂに例が示される。図１ｂは情報オブジェクト１４のツリー構造を示し、ツリー構造はポインタ２６またはリンク項目２４によって定められる。特に、図１ｂは、丸いコーナを有する矩形で表される１つ以上のリンク項目２４を有し、「Ｍ」で標識付けられたオブジェクト５０と、直角のコーナを有し「Ｔ」で標識付けられたオブジェクト５２とを区別する。すでに上で示したように、各オブジェクト１４には、固有のオブジェクトＩＤが割り当てられる。換言すれば、図１ｂに示されるオブジェクト１４は、それぞれ図１ｂに示す他のいかなるオブジェクト１４のオブジェクトＩＤとも異なる、それに関連する固有のオブジェクトＩＤを有する。リンク・オブジェクト５０のうちの１つは、図１ｂの場合には、見本としてオブジェクトＩＤ０ｘ００００である特定のオブジェクトＩＤと関連していてもよい。このオブジェクト５４は、オブジェクト１４がポインタ２８によって構築されるツリー構造５６の根本を形成する。根本オブジェクト５４の特定のオブジェクトＩＤは、受信側１２において公知であり、プロセッサ３４を作動させることにより、プロセッサ３４によって、例えば、ユーザーに最初に示される。根本オブジェクト５４は、階層ツリー構造５６の第１の階層レベルを形成する。根本オブジェクト５４のリンク項目２４のポインタ２６は、根本オブジェクト５４から始まって第２の階層レベルのオブジェクト１４に延びる矢印によって示されるような第２の階層レベルを形成する異なるオブジェクトＩＤを有するオブジェクト１４を提示する。第２の階層のオブジェクト５０は、それぞれの異なるオブジェクトＩＤその他を有するオブジェクトを示すポインタをもつリンク項目を有する。オブジェクト１４の「階層レベル」は、根本オブジェクト５４からそれぞれのオブジェクトに最も短い可能なパスとして定義されることができる。階層レベルの範囲は無制限であってもよいが、実施例によれば、階層レベルの数は、例えば２０の階層レベルなどの最大値に制限されることができる。同様に、オブジェクト５０当たりのリンク項目の数は無制限であってもよく、いくらかの最大値に制限されてもよい。図１ｂに示すように、オブジェクト１４は、１つ以上のオブジェクト５０の各リンク項目によって参照されあるいは指摘されることができる。さらに、特定のオブジェクト５０のリンク項目のポインタは、次の階層レベルのオブジェクトを示すことを制限されない。むしろ、特定の階層レベルのオブジェクト５０は、図１ｂに点線で示されているように、低い階層レベルの中で異なるオブジェクトＩＤを有するオブジェクトを示すリンク項目を有することができる。
【００１５】
図１ａをさらに参照すると、プロセッサ３４は、オブジェクトのツリー５６を検索することにおいてユーザーを援助するように構成される。特に、プロセッサ３４は、プロバイダ３２によって与えられるデータカルーセル信号をモニタするように構成されることができ、または、オブジェクトのキャッシュ４２を検索して、それと関連する現在選択されているオブジェクトＩＤを有するオブジェクト１４を検出し、表示装置３６を介してこの情報オブジェクトのコンテンツを表す表現をユーザーに提示することができる。現在示されているオブジェクトがリンク項目２４を含む場合、ユーザーは、これを選択するかまたは現在示されているオブジェクトのリンク項目２４の１つを選択することを促される。特に、ユーザーは、入力装置３８を用いていくつかのリンク項目のうちの１つを選択することが可能である。ユーザーによる特定のリンク項目の選択により、プロセッサ３４は、新しく選択されたオブジェクトＩＤとしてこのリンク項目２４によって示されるオブジェクトＩＤを指定し、このオブジェクトのテキストコンテンツをユーザーその他に提示するために、プロバイダ３２によって与えられるデータカルーセル信号またはキャッシュ３２に格納されたその格納バージョンをモニタする。前に概説したように、別の実施例に従って、プロセッサ３４は、データカルーセル信号を使用する代わりに、プロバイダ３２からの新しく選択されたオブジェクトＩＤを要求する。
【００１６】
プロセッサ３４は、最近アクセスされたオブジェクトＩＤの経過をアクセスした順序で追うために、メモリ４０を使用することができる。換言すれば、プロセッサ３４はパス履歴５８をメモリ４０に格納することができ、パス履歴５８は、根本オブジェクト５４から他のオブジェクト１４にナビゲートするときに、行き来したオブジェクトＩＤのリストを含む。パス履歴５８は、オブジェクトＩＤの一定数に制限されることができ、この数は、例えば、階層レベルの最大数に等しいか階層レベルより大きいものである。例えば、ユーザーが入力装置３８を用いて以前のオブジェクト５０に戻ることを要求している状態において、プロセッサ３４は、そこからユーザーが現在示されているオブジェクトに達したオブジェクト５０のオブジェクトＩＤを得るために、パス履歴５８を使用することができる。新しく選択されたオブジェクトＩＤがすでにパス履歴５８に存在する場合、プロセッサ３４はパス履歴５８を短くするように構成されることができる。さらに、プロセッサ３４は、パス履歴の中の異なるオブジェクトＩＤの数が最大数を上回ったときにパス履歴５８から最も古いあるいは他のいくらかのオブジェクトＩＤを除去するように構成されることができる。
【００１７】
上の説明は、アプリケーション層システムに制限された。すなわち、前記説明は、テキストベースの情報コンテンツが分配される情報オブジェクトの構造および処理に制限された。図２および図３は、送信機および受信機のための実施例を示し、それらは、トランスポート層に関するコンポーネントを含む送信機および受信機で、図１ａおよび図１ｂに関して上述のようなテキストベースの情報提供を実行するように構成される。このように、図２および図３は、一方ではアプリケーション層および他方ではトランスポート層の間のインターフェースを示す。
【００１８】
図２は、送信機７０の一例を示す。送信機７０は、アプリケーション層ユニット７２およびトランスポート層ユニット７４を含む。アプリケーション層ユニットは、図１ａのプロバイダ３２に対応するか、機能的に同一であるオブジェクトプロバイダ７４を含む。さらに、アプリケーション層ユニット７２は、フラグメント装置７６およびヘッダ付加器７８を含む。オブジェクトプロバイダ７４、フラグメント装置７６およびヘッダ付加器７８は、トランスポート層ユニット７４に直列に、前述の順序で接続されている。
【００１９】
図１ａに関してすでに上に記載されているように、オブジェクトプロバイダ７４はオブジェクト１４を提供して、それらをフラグメント装置７６に出力する。図２の実施例において、各オブジェクトは、オブジェクトヘッダ１６およびオブジェクトコンテンツ部１８に加えて、追加データ、すなわち、付加的なヘッダ８０および冗長データ８２を含む。オブジェクト１４は、例えば、ＭＳＣデータグループヘッダである付加的なヘッダ８０、ＭＳＣデータグループヘッダ８０の誤り検出または誤り訂正から決定され、誤り検出または誤り訂正を可能にする冗長符号語である冗長データ８２およびオブジェクトヘッダ１６とオブジェクトコンテンツ部１８からなるＭＳＣデータグループフィールドとすることができる。オブジェクトヘッダ１６に含まれる情報に加えて、情報オブジェクト１４と他のサービスに属するオブジェクトを区別可能にするために、ＭＳＣデータグループヘッダ８０は、オブジェクトコンテンツ部１８の中のテキストコンテンツが属するテキストベースの情報提供を確認することができる。しかしながら、ちょうど言及された部分８０および８２は単に任意であって、省略することができることが強調されなければならない。さらに、図２において部分８０および８２が情報オブジェクト１４の範囲内に含まれることが記載されているが、情報オブジェクト１４が、図２の引用符号１４でのみＭＳＣデータグループのデータグループフィールドに制限され、そして、ＭＳＣデータグループを示すと解釈することも可能である。しかしながら、部分８０および８２が単に任意であるため、オブジェクトプロバイダ７４によって与えられるユニットは全体として示された情報オブジェクト１４である。
【００２０】
このように、フラグメント装置７６は、情報オブジェクト１４を単位にしてオブジェクトプロバイダ７４からデータを受け取る。特に、フラグメント装置７６は、オブジェクトプロバイダ７４から情報オブジェクト１４のシーケンスを受け取る。フラグメント装置７６は、トランスポート層ユニット７１が情報オブジェクト１４の移送およびパケット化を処理することが可能なことを保証しなければならない。この目的で、フラグメント装置７６は、情報オブジェクト１４が、例えば現在の物理チャネル状況等のような物理環境に応じてトランスポート層ユニット７４によって規定され、予定されているか、または、時間的に変化する所定の長さを上回るかどうかをチェックする。フラグメント装置７６が現在の情報オブジェクト１４の長さが閾値長を上回ると判定する場合、フラグメント装置７６は、例えば、閾値長によって許容されるのと同じくらいできるだけ長くなるように、情報オブジェクトをフラグメント１４ａおよび１４ｂのシーケンスに分離し、したがって、この情報オブジェクト１４のフラグメント装置７６の出力におけるフラグメント部のシーケンスのサブシーケンスを形成する。このように、同じオブジェクトに属しているフラグメント部は異なる長さを有し−先のものと関連する最後のものだけでなく最後のものに先行するフラグメント部も各々の中の長さにおいて異なっていてもよい。
【００２１】
ヘッダ付加器７８はフラグメント部のシーケンスを受信し、それぞれ、各フラグメント部に関連するフラグメントヘッダ８４ａおよび８４ｂを提供し、単にフラグメントヘッダ８４ａおよび８４ｂに依存することによって、フラグメント部１４ａおよび１４ｂのシーケンスから情報オブジェクト１４のシーケンスを再構成するためにフラグメント部１４ａおよび１４ｂの非断片化を可能にする。特に、フラグメントヘッダ８４ａおよび８４ｂは、それらが帰属するフラグメント部が、一緒に情報オブジェクトを形成しているフラグメント部のサブシーケンスの最初のフラグメント部であるかどうかに関して、それが帰属するフラグメント部が、一緒に情報オブジェクトを形成しているフラグメント部のサブシーケンスの最後のフラグメント部であるかどうかに関して示すように決定され、単にフラグメントヘッダに基づいて、フラグメント部が完全に情報オブジェクトを再構成するかどうか、または、フラグメント部が失われているかどうかに関してチェックすることができる。
【００２２】
図２に示すように、各フラグメントヘッダ８４ａ、８４ｂは、例えば、最初のフラグ、最後のフラグ８８および連続インデックス９０を含む。フラグメント部１４ａが情報オブジェクト１４の最初のフラグメントを含む場合、最初のフラグ８６は有効とされ、そうでなければ無効とされる。同様に、フラグメントヘッダ８４ａに関連するフラグメント部１４ａが情報オブジェクトの最後のフラグメントを含む場合、最後のフラグ８８は有効とされ、そうでなければ、無効とされる。連続インデックス９０は、情報オブジェクトの最初のフラグメントを含むフラグメント部１４ａでゼロから始まり、この情報オブジェクトのフラグメントを含むそれぞれの次のフラグメント部１４ｂごとに１だけ増やされるカウンタを含む。最初のフラグ８６および最後のフラグ８８は、１ビット符号であってもよい。連続インデックス９０は、例えば、６ビットカウンタ値であってもよい。情報オブジェクトが２6＝６４以上のフラグメント部に断片化されている場合、カウンタは、以下に詳細に説明するように、受信側における通常のふるまいとして認められるオーバーフローまたはゼロでの再スタートを行うことができる。
【００２３】
以下に、フラグメントヘッダのシーケンスのための実施例は、３つの連続的な情報オブジェクトが１つ、４つおよび、２つのフラグメントに断片化されるという説明のために記載される。
【００２４】
【表１】
0005634500.tif 000002
【００２５】
トランスポート層ユニット７４は、それぞれ、それに関連してフラグメントヘッダ８４ａおよび８４ｂを有するフラグメント部１４ａおよび１４ｂのシーケンスを受信し、受信側への移送について責任を負っている。フラグメント装置７６およびヘッダ付加器７８によって実行される断片化により、トランスポート層ユニット７４は、情報オブジェクト１４の最大長に対処することが可能なものに制限されない。むしろ、トランスポート層ユニット７４は、いかなるトランスポート層方式も利用できるように使用することができる。例えば、情報オブジェクト１４のためのサイズ制限は、例えばＭＳＣデータグループの形で、４ｋｂとすることができる。このように、フラグメント装置７６およびヘッダ付加器７８がなければ、トランスポート層ユニット７４は、そのサイズのオブジェクトに対処することが可能でなければならない。しかしながら、断片化により、トランスポート層ユニット７４は、この種のトランスポート層方式に制限されない。たとえば、トランスポート層ユニット７４は、この場合、ＤＡＢ、ＤＲＭ、ＨＤｒａｄｉｏ、Ｗｏｒｌｄｓｐａｃｅまたは他のいかなるトランスポート層システムも使用することができる。事実、トランスポート層ユニット７４は、関連するフラグメントヘッダ８４ａ，８４ｂを有するフラグメント部１４ａ，１４ｂのシーケンスから可能な方法でトランスポート信号９２を形成するが、このユニットまたはフラグメント部に加えてフラグメントヘッダに入ってくるシーケンスの構造を論理的に維持する。たとえば、図４ａに示すように、トランスポート層ユニット７４は、関連するフラグメントヘッダ、すなわち各トランスポートユニットとして、それ自身それと関連してトランスポートパケットヘッダ９６を有する１つのトランスポートパケットコンテンツ部９４に付加する各フラグメント部をパケット化する。あるいは、トランスポート層ユニット９２は、フラグメント部および関連するフラグメントヘッダの連続的な対の間の境界を示す同期ヘッダを有するストリームとして、フラグメント部とフラグメントヘッダのシーケンスを移送する。あるいは、トランスポート層ユニット７４は、図４ｂに図示したように、１つ以上のトランスポートパケットに分配されるフラグメント部とフラグメントヘッダの対を移送することができる。データ転送そのものは、地上波信号９２または衛星信号等の形で実行されることができる。さらに、すでに上に示したように、データ伝送９２は、例えば無線放送信号のような放送信号でもよく、要求に応じてオブジェクトを送る場合には、伝送は、例えばそれぞれのアドレスによって示される特定の受取人を目標としてもよい。
【００２６】
図３は、トランスポート信号９２を受信するための可能な受信機を示す。図３の受信機は、図１ａに示すように、トランスポート層ユニット１１０およびアプリケーション層ユニット１１２を含み、後者は、抽出器１１４、デフラグメント装置１１６およびオブジェクトハンドラ１１８を含み、オブジェクトハンドラ１１８は、例えば、図１ａのプロセッサ３４を含み、これらの素子の１つ以上が接続されている。
【００２７】
トランスポート層ユニット１１０は、トランスポート信号を受信して、そこから、トランスポートユニットのシーケンスを再構成し、各トランスポートユニットはフラグメントヘッダおよびフラグメント部の対に対応しているか、または等しい。図３の受信機のアプリケーション層ユニット１１２は、抽出器１１４およびオブジェクトハンドラ１１８の間に接続さるデフラグメント装置１１６を含む。抽出器１１４は、トランスポート層ユニット１１０からトランスポートユニットのシーケンスを受け取って、そこからそれぞれのトランスポートユニットごとにそれぞれのフラグメントヘッダ１２０およびフラグメント部１２２を抽出する。デフラグメント装置１１６は、情報オブジェクトを得るために、フラグメントヘッダを用いて送られてきたフラグメント部のシーケンスを非断片化し、少なくとも、情報オブジェクトの一部のためにフラグメント部のそれぞれのサブシーケンスからそれぞれの情報オブジェクト１４を構成する。オブジェクトハンドラ１１８は、図１ａおよび図１ｂに関してすでに上で述べた方法で得られた情報オブジェクト１４を使用する。
【００２８】
特に、断片化された情報オブジェクト１４のフラグメントが送信機のトランスポート層ユニット７４および受信機のトランスポート層ユニット１１０の間のどこかで失われたかどうかに関して調べるために、フラグメント装置１１６はフラグメントヘッダを使用する。この目的で、デフラグメント装置１１６は、第１に、関連するフラグメント部が情報オブジェクトの最初のフラグメントを含むかどうかに関して、トランスポート層ユニット１１０から受け取る現在のトランスポートユニットの現在のフラグメント部のフラグメントヘッダをチェックする。そうである場合、フラグメント装置１１６は、フラグメントが失われて断片化された情報オブジェクトを再構成するか構成することを妨げていることを示す不連続性があるかどうかに関して、直ちに現在のフラグメント部のフラグメントヘッダおよび現在のフラグメント部の後に続くフラグメント部の連続に関連するフラグメントヘッダをチェックする。連続的なフラグメント部の前述の連続は、フラグメント部のシーケンスに最初に何が起ころうと、そのフラグメント部が情報オブジェクトの最初のフラグメントを含むことを示すフラグメントヘッダを有するフラグメント部に先行するフラグメント部、またはそれぞれのフラグメント部が情報オブジェクトの最後のフラグメントを含むことを示す関連するフラグメントヘッダを有するフラグメント部のいずれかの端部に決定される。たとえば、第５のフラグメントヘッダがちょうど言及された連続の端部を形成しているフラグメント部に属する上記の表の第５および第６のフラグメントヘッダから見られるように、両方の状況が通常あてはまる。
【００２９】
さらに詳細にこれを例示するために、フラグメントヘッダの上述の例示されたリストが参照される。例えば、現在のフラグメント部は、この表において第２のフラグメントヘッダを有するものであると仮定する。関連するフラグメントヘッダを有するフラグメント部のいずれも失われない場合、第５のフラグメントヘッダが有効にされた最後のフラグを有するため、連続的なフラグメント部の連続は第３から第５のフラグメントヘッダ／フラグメント部の対まで伸びる。しかしながら、第５のフラグメントヘッダおよびフラグメント部が伝送において失われた場合、例えば、第４のフラグメント部が有効にされた最初のフラグを有する直後の第６のフラグメントヘッダに先行するので、そして、有効にされた最後のフラグを有する最初のフラグメントヘッダが後に続くため、上述の連続的なフラグメントの連続は第４のフラグメント部において終わる。
【００３０】
チェックでいくつかの中間のフラグメント部が、有効にされた最初のフラグを有するフラグメントヘッダを有するフラグメント部にすぐに先行するが、最後のフラグが有効にされていないフラグメントヘッダを有するフラグメント部で前述の連続または連続の端部を失ったことが分かった場合、フラグメント装置１１６は現在のフラグメント部および直後に続くフラグメント部の連続を破棄し、フラグメント部の連続に続くフラグメント部の非断片化が再開される。
【００３１】
しかしながら、チェックの結果がフラグメントは失われていないということである場合、フラグメント装置１１６は、現在のフラグメント部および直後に続くフラグメント部の連続から情報オブジェクトを構成する。任意には、フラグメント装置１１６は、再構成される情報オブジェクトが正しいかどうかに関して決定するために、冗長な情報８２をチェックする。
【００３２】
更なる避難メカニズムとして、情報オブジェクトのための最大寸法がさらに満足するように、フラグメント装置１１６は連続的なフラグメント部の連続の長さを制限することができる。たとえば、有効にされた最初のフラグを有するフラグメントヘッダを有するフラグメント部の後に上述のように終了したフラグメント部の連続が続き、情報オブジェクトのための最大長を上回っているこれらのフラグメント部の長さの合計を有する場合、これらのフラグメントが異なる情報オブジェクトに帰属しなければならず、いくらかのフラグメント部が失われたにちがいないことは明らかである。この場合、フラグメント装置は、例えば４ｋｂというこの最大寸法で、フラグメントのアセンブリを止めて、可能にされた最初のフラグを有するフラグメントヘッダを有する次のフラグメント部によって示されるような処理を再開するために今までに処理されたフラグメント部を廃棄する。
【００３３】
特に、最初のフラグ、最後のフラグおよび連続インデックス９０を有するフラグメントヘッダのタイプを使用するとき、フラグメント装置１１６は次のように作動する。第１に、デフラグメント装置１１６は、有効にされた最初のフラグを待つことができる。それから、フラグメント装置１１６は、フラグメント部を集め始める。引き続き、フラグメント装置１１６は、連続インデックス９０によって示されるカウンタに不連続性があるかどうかに関してチェックするために、次のフラグメントヘッダの連続インデックスをチェックする。検出される不連続性がある場合、フラグメント装置１１６はすべてのフラグメントを廃棄して、有効にされた最初のフラグを有する次のフラグメントヘッダで動作を再開する。検出される最初のフラグがある場合、フラグメント装置１１６は有効にされた最後のフラグを有するフラグメントヘッダがないことを知っており、したがって、フラグメント装置１１６は、今までに集められたフラグメント部を破棄し、有効にされた最初のフラグを有する次のフラグメントヘッダで再スタートする。しかしながら、有効にされた最初のフラグを有するフラグメントヘッダの初発生の前に、フラグメント装置１１６が有効にされた最後のフラグを有するフラグメントヘッダに達する場合、フラグメント装置１１６は収集したフラグメント部から構成された情報オブジェクト１４を任意に冗長情報８２をチェックするオブジェクトハンドラに送り、正しい場合、上述のように、アプリケーション層の優先度に従って更に情報オブジェクトを処理する。上述のように、現在収集したフラグメント部の長さの合計が情報オブジェクトのための制限を上回るとすぐに、収集は中断される。
【００３４】
本発明は、カルーセルベースのデータ伝送に制限されないだけではなく、放送にも制限されないことに注意されたい。むしろ、すでに上で示されているように、上で概説された説明と異なり、上で概説された実施例はデータオブジェクトが要求に応じて転送されるデータ伝送に適用されることもできる。同様に、上で概説された説明と異なり、前記実施例は、要求により伝送を命令しまたは命令しない特定のアドレスに導かれるアドレスベースのデータ伝送へ転送されることができる。
【００３５】
換言すれば、本発明の実施例によれば、情報オブジェクトに分配されるテキストベースの情報コンテンツを持っているテキスト情報信号のための受信機は、トランスポートユニットのシーケンスを得るためにトランスポート信号を受信するためのトランスポート層ユニットおよびアプリケーション層ユニットを含む。アプリケーション層ユニットは、関連するフラグメントヘッダを有するフラグメント部のシーケンスを得るために各トランスポートユニットを検査して、そこからフラグメントヘッダおよび対応するフラグメント部を抽出するための抽出器、少なくとも情報オブジェクトの一部のためにフラグメント部のシーケンスの中のフラグメント部のサブシーケンスからそれぞれの情報オブジェクトを構成し、情報オブジェクトを得るためにフラグメントヘッダを用いてフラグメント部のシーケンスを非断片化するためのデフラグメント装置、およびオブジェクトヘッダおよびオブジェクトコンテンツ部を取得し、オブジェクトヘッダに従って情報オブジェクトを処理するために、情報オブジェクトを解析するための情報オブジェクトハンドラを含む。任意には、トランスポート信号は、１つまたは１つ以上のトランスポートパケットに分配されるパケット化された形でそこに含まれる各トランスポートユニットを有し、各トランスポートパケットはトランスポートパケットヘッダおよびトランスポートパケットデータ部を含み、トランスポートコンテンツ部の長さに関するまたはトランスポートパケット部内のペイロード部に関するペイロード抽出情報を得るために、そして、ペイロード抽出情報を用いて単にトランスポートパケットのビットを抽出してフラグメントヘッダおよびフラグメント部の少なくとも１つに関係するアプリケーションレベルユニットに送るために、トランスポート層ユニットは、各トランスポートパケットのために、トランスポートパケットヘッダを調べるように構成される。
【００３６】
同様に、本発明の実施例によれば、情報オブジェクトに分配されているテキストベースの情報コンテンツを持っているテキストベースの情報信号のための送信機は、アプリケーション層ユニットおよびトランスポート層ユニットを含む。アプリケーション層ユニットは、少なくとも情報オブジェクトの一部のために、各情報オブジェクトをフラグメント部のシーケンスの中のフラグメント部のサブシーケンスに断片化し、情報オブジェクトをフラグメント部のシーケンスに断片化するためのフラグメント装置、および情報オブジェクトを得るためにフラグメント部の非断片化を可能にするフラグメントヘッダを各フラグメント部に供給するヘッダ付加器を含み、各フラグメント部が関連する各フラグメント部およびフラグメントヘッダがトランスポートユニットを形成する。トランスポート層ユニットは、トランスポート信号の範囲内でトランスポートユニットのシーケンスを、トランスポートユニット的に伝達することに関与している。任意には、トランスポート層ユニットはトランスポート信号の範囲内でトランスポートユニットのシーケンスを送信するように構成され、それにより、トランスポート信号は、１つまたは１つ以上のトランスポートパケットに分配されるパケット化された形でそこに含まれる各トランスポートユニットを有し、各トランスポートパケットはトランスポートパケットヘッダおよびトランスポートパケットデータ部を含み、トランスポートパケットヘッダは、トランスポートコンテンツ部の長さに関するまたはフラグメントヘッダおよびフラグメント部の少なくとも１つに関係するトランスポートパケットのビットを示すトランスポートパケット部内のペイロード部に関するペイロード抽出情報を含む。
【００３７】
実際の実現に応じて、発明の放送概念は、ハードウェアにおいて、または、ソフトウェアにおいて実施することができる。したがって、本発明は、例えばＣＤ、ディスク、ＤＶＤ、メモリースティック、メモリーカードまたはメモリーチップなどのコンピュータ可読媒体に格納されたコンピュータプログラムにも関連する。したがって、本発明は、コンピュータに実行されるときに、上の図と関連して記載されている発明の方法を実行するプログラムコードを有するコンピュータプログラムである。
【００３８】
本発明がいくつかの好ましい実施例に関して記載されたが、本発明の範囲内にある変更、置換および等価物がある。また、本発明の方法および構成を実施する多くの別な方法があることは注意すべきである。したがって、以下に添付する請求の範囲が本発明の真の趣旨および範囲内にあるものとして、すべてのこの種の変更、置換および等価物を含むことと解釈されるべきである。
【００３９】
さらに、それぞれ、フロー図に示すすべてのステップが受信機、送信機およびユニットのそれぞれの手段によって実施され、実施がＣＰＵ、ＡＳＩＣの回路部分等上で動作するサブルーチンを含むことに注意されたい。
【図１ａ】
0005634500.tif 000003
【図１ｂ】
0005634500.tif 000004
【図２】
0005634500.tif 000005
【図３】
0005634500.tif 000006
【図４】
0005634500.tif 000007